(57)【要約】本発明は回転軸（２０）を中心に回転可能な部品（２）の角度を調節するための装置（１０）に関し、その部品は特に座席（４）、特に車両の又は車両内の座席に取り付けられる。前記角度調節装置（１０）は第１の固定歯（１３１）と、安定した固定位置と安定した解除位置に調節可能なロッキングレバー（１４０）で構成される。この前記発明装置（１０）は、少なくとも部品（２）の１つの角度位置でスプリング（１４５）に作用する第３の制御部材も又構成部とする。
2007526054.tif 000002
【特許請求の範囲】
【請求項１】
回転軸（２０）を中心に回転可能な部品（２）、特にアームレスト、特に座席にしっかり留められたアームレスト、特に車両に付いているか又は車両内の座席に有るアームレスト、の角度調節装置（１０）で、前記角度調節装置（１０）は第１の固定歯（１３１）とロッキングレバー（１４０）を有し、前記ロッキングレバー（１４０）は安定固定位置と安定解除位置に設定可能で、前記角度調節装置（１０）は前記部品（２）のある角度位置でスプリング（１４５）に作用する第３の制御部材（１２３）を有することを特徴とする角度調節装置（１０）。
【請求項２】
前記ロッキングレバー（１４０）を固定位置と解除位置に設定する前記角度調節装置（１０）はスプリング（１４５）、特に２つの安定位置に設定可能なスナップ式スプリング（１４５）、を有することを特徴とする請求項１に記載の前記角度調節装置（１０）。
【請求項３】
前記角度調節装置（１０）は制御装置（１２０）を有し、前記制御装置（１２０）は前記部品（２）の角度位置によって、前記部品（２）の一方向だけには動けるところの旋錠状態をもたらすことを特徴とする請求項１または２に記載の前記角度調節装置（１０）。
【請求項４】
前記第１の固定歯（１３１）は内側の歯であり、前記ロッキングレバー（１４０）は外側の歯である第２の固定歯（１４１）を有することを特徴とする請求項１〜３のいずれか１項に記載の前記角度調節装置（１０）。
【請求項５】
前記第１の固定歯（１３１）は内側の周辺の歯であり、外側の歯を有する前記制御装置（１２０）は前記第１の固定歯（１３１）と噛み合う様に配置されていることを特徴とする請求項１〜４のいずれか１項に記載の前記角度調節装置（１０）。
【請求項６】
前記部品（２）は装置（１０）に割り当てられているか、又は前記部品（２）が装置（１０）から成ることを特徴とする、請求項１〜５のいずれか１項に記載されている部品、特にアームレスト。
【請求項７】
前記座席（４）は装置（１０）を含むことを特徴とする請求項１〜７のいずれか１項に記載の座席（４）、特に車両用座席。
【発明の詳細な説明】
【技術分野】
【０００１】
本発明は回転軸を中心に回転可能な部品、特にアームレスト、特に座席に固定されるアームレスト、特に車両の又は車両内の座席のアームレスト、の角度を調節するための装置に関する。この種の装置は一般的に多様な機能を果たすものが知られている。特に自動車では、第一に、前記部品は、使用者にとり最も快適又は人間工学的な位置に簡単に調整出来る様に、概ね水平の位置に設定することが出来る。第二に前記部品は概ね垂直な位置に設定することが出来る、つまり座席の背もたれと平行に調節された位置である、その結果使用者の可動空間は、例えば座席の側面で、自由に保たれるし前記部品で占められることは無い。
更に、設定された位置は、意図しない設定変更に対して出来るだけ確実に守られる。以降、”部品“と”アームレスト“は殆ど同意義語として使われる。
【背景技術】
【０００２】
アームレストの概ね水平の設定を実現するのに、噛み合った複数の歯車の歯を利用するラッチ構造が使われることが一般的に知られており、アームレストのいくつかの異なる不連続な位置取りが可能となる。この種の装置は重量と製造コストを低減するため、出来るだけ小さくコンパクトになるように設計されている。
所望の機能、特にアームレストが基本的に水平に固定されて、しかし一方向には動くようになっている快適領域を可能にする機能と、この快適領域と座席の背もたれに基本的に平行な垂直設定の間の非固定領域、即ちそこでは前記アームレストは基本的に自由に動きそして最も低い位置まで戻る事の出来る領域を可能にする機能を提供するために、一般的に自動化された解決法が知られている。そこでは制御の輪郭形状部がこの機能性を実現するために可動部材に接触するのである。この点において、可動部材又は互いに可動な部材が互いに激しく当たる欠点のある制約的なガイドが知られている。その結果そのような部品のうち、より弱い部材が壊れるか、磨耗するか、又は、何らかの形で機能性を失うのである。
【発明の開示】
【発明が解決しようとする課題】
【０００３】
故に、本発明の目的は、先行技術の欠点を克服する様なアームレストの角度調整装置を開発することである。
【課題を解決するための手段】
【０００４】
本発明によると、この目的は回転軸を中心に回転可能なアームレストの角度調整装置により成し遂げられる。この装置は第１の止め歯とロッキングレバーを有し、ロッキングレバーは安定した固定位置と安定した解除位置に設定されることが可能である、そしてこの装置は部品の少なくともある角度位置でスプリングに作用する第３の制御部を有する。これは以前の技術の欠点をカバーする。なぜならロッキングレバーは第３の制御部により直接に動かされないからである。その結果その様な場所での過度の磨耗は起こりえないし、ロッキングアームの破損さえ起こりえない、即ちこの様な失敗は全く考えられない。この場合、この部品の角度位置を変えると第３の制御部から起こる、ロッキングレバーを解除位置から固定位置に調節する強力な効果がスプリングに起こる。従って、第３の制御部とロッキングレバーの間では、直接的な力の伝達は無く、つまり直接的な接触も無いのである。
【発明の効果】
【０００５】
ロッキングレバーを固定位置と解除位置に設定する装置にスプリング、特に二つの安定した位置に設定可能なスナップ式のスプリングがあるのは好ましい。これは、ロッキングレバーを安定した位置に非常に簡単な手段で設定できるという利点がある。この種のスプリング、特にスナップ式スプリングや死点スプリングは、更に比較的軽量で費用対効果が高く、頑丈でこの装置の全耐用期間にわたる耐久性がある。
【０００６】
更に、この装置が制御装置を有するのが好ましく、前記制御装置はアームレストの角度位置によって、部品の一方向には動けるようなロック状態をもたらす。故に、簡単な方法でアームレストが、ある角度位置の領域、例えば、アームレストの概ね水平な設定で提供されるアームレストの”快適領域“でのみ固定化されることが出来る。
【０００７】
更に、第１の固定歯は内側の歯であり、ロッキングレバーは第２の外側に歯のある固定歯を持つことが好ましい。この種の好ましい装置は特に簡単でコンパクトな方法でそして比較的低い構成費用で製造されるので、結果としてこの装置つまりアームレストの使用者は非常に気楽に使うことが出来る。第１の固定歯は内側の歯で第２の固定歯が外側の歯であるという好ましい実施例が、以下でに説明されますが、逆の設計、即ち内側に歯のあるロッキングアームを使うものも又、本発明によると可能である。
【０００８】
更に、第１の固定歯はあまり重要でない内側の歯であることが好ましく、外側に歯がある制御装置は第１の固定歯と接触するように配置される。これは、簡単な方法で、本発明による前記装置の費用対効果の高い生産を可能とする。何故ならば第１の固定歯の内側の歯は、主に外周部として設計出来るからである。更に、このことは本発明によるこの装置の組付けを簡単にし、それ故費用対効果が更に良くなる。
【０００９】
更に、本発明は、本発明による前記装置を有し又はそこに対応されているアームレストと座席に関するものである。
【発明を実施するための最良の形態】
【００１０】
本発明は、図示された典型的な実施形態に関して、以下に詳細に説明される。
【実施例１】
【００１１】
図１は回転軸２０を中心に回転可能に配置されたアームレスト２を、部品２あるいは車両部品２の例として図示する。装置１０は、アームレスト２を座席４、即ち座席の背もたれ４に連結する。線図で示された座席４は、例えば座席の背もたれ又は、例えば特に自動車の部品又は他の装置として構成できる。以下では、”座席“４と”背もたれ“４は概ね同意語として使われる。この場合、装置１０は複数の設定、つまり背もたれ４に対してアームレスト２の複数の角度位置をもたらす。前記装置１０により決まる背もたれ４上のアームレスト２の、そして回転軸２０を中心とする全旋回領域は以下に分割される。
a) 背もたれ４が基本的に垂直に位置している場合に、アームレスト２が概ね水平の設定に相当する第1の角領域A1。
b)  第１の角領域A1に続く、旋回領域Aの上の端に配置される第２の角領域A2。
【００１２】
快適領域A1とも言及される第1の角領域A1は、この図で限界角度位置P0から第1の角領域A1と第2の角領域A2の境界である第2の角度位置P2までである。第1の角度位置P1はこの第1の角領域A1内、又は同域上に位置する。更にもっと先の限界角度位置P3は第2の角領域A2の終点にある、すなわち第1の角領域から離れる方向に向いて終点である。
アームレスト２の全旋回領域は、図1において、名称Aで示される。更に、図１及びそれに続く全部の図において、第1の回転方向S1はアームレスト２のずっと先の限界角度位置P3から反対の限界角度位置P0への下向き方向の回転方向である（図1では時計廻り方向で、図2−7では反時計廻り方向）、そして第2の回転方向S2は第1の回転方向S1とは反対のアームレスト２の回転の向きを示す。
【００１３】
本発明によると、スプリング手段（表示されてない）を使い、少なくとも第2の角度領域A2において、アームレスト2を第1の回転方向S1にあらかじめ圧力をかけることも可能である。すなわち、少なくとも第2の角度領域A2にあるアームレスト2を第2の回転方向S2と第1の回転方向S1に動かすには大きな力が必要である。さもないとアームレスト2は第1の回転方向S1に自動的に動いてしまうのである。
【００１４】
本発明による装置10又はアームレスト2の動作の順序と機能は図2 〜 8 を参照してもっと詳細に以下で説明される。
【００１５】
図2〜7は、装置10とその色々な部品と共にアームレスト2の種々の設定位置、つまり角度位置を図示する。この場合、単純にするため、図3〜7ではアームレスト2は表示されない。しかし、回転軸輪郭部22は回転対称形ではなく、そしてアームレスト2は回転軸輪郭部22に関して、常に固定回転的に配置されているという事実により、アームレスト2の位置や角度位置を認識するのは可能である。
【００１６】
図8は本発明による装置10の分解組み立て図であり、アームレスト2、回転軸20、装置10の第1の収納部170、装置10の第２の収納部171そして組み付け手段172、つまりネジ、を含む。
【００１７】
本発明の装置１０の様々な部品は以下の図２〜８に共通に紹介される。前記装置１０の内部には、特に図８で明らかな様に、支持部材１３０に固定された第１の固定歯１３１がある。それは好ましくは、支持又は保持部材１３０の周辺部にある連続した内側の歯である。
【００１８】
ロッキングレバー１４０の第２の固定歯１４１は第１の固定歯１３１と噛み合う。ロッキングレバー１４０が穴又は窪み（特に符号で指定されてない）と、回転部品１５０に固定されているピン１５１によって回転可能に又は旋回可能に取り付けられている。この場合、前記ピン１５１と、対応するロッキングレバー１４０の穴は回転軸２０と平行である、しかしそこにずれて平行、つまり偏心している。回転部材１５０とも呼ばれている回転部品１５０は、回転軸２０を中心として回転する軸の等高線のような輪郭部２２に対応する穴を有する、その結果軸の輪郭部２２が回転部品１５０に挿入された後、前記回転部品１５０は回転軸２０、つまりアームレスト２に対し非回転的に連結される。故に、回転軸２０を中心としたアームレスト２の回転は、ロッキングレバー１４０を伴う回転部材１５０の回転をもたらす。
ロッキングレバー１４０は、特にスナップ式スプリング１４５として、つまり、死点スプリングとして意図されたスプリング１４５によって回転部材１５０に連結される。即ち、ロッキングレバー１４０が安定固定位置及び安定解除位置という２つの安定した位置に設定出来る様に後者に相互的に作用する。ロッキングレバー１４０の安定固定位置はここで図２〜４に表示されたロッキングレバー１４０の位置に相当する。ロッキングレバー１４０の解除位置は図５〜７に表示されたロッキングレバー１４０の位置に相当する。ロッキングレバー１４０の固定位置で、第２の固定歯１４１はこの場合（回転軸２０に関して）更に外側に配置され、そしてロッキングレバー１４０の解除位置でその外側の固定歯１４１はもっと内側に、つまり回転軸２０の近くに配置される。
ロッキングレバー１４０は留め部品１３０の平面内に配置される。つまり第１の固定歯１３１の平面内である。同様に、この平面には、例えばクリップ式の係止部材１２６（図８参照）によって支持部品１３０、つまり留め部品１３０に固定される、制御装置１２０の少なくとも一部分が配置される。この目的のため、制御装置１２０は、少なくともある部分領域に、第１の固定歯１３１と噛合う歯１２５を少なくともその周囲のある部分領域に有する。その結果、制御装置１２０は留め部品１３０に（固定し回転するように）連結する。勿論、制御装置１２０と留め部品１３０は一体として製造することも出来るだろう。
【００１９】
制御装置１２０と反対側になる留め部品１３０の面上には、固定スプリング１５５の一部分を収納する為の窪み１６５を持つ別の留め部品１６０がある。前記固定スプリングは回転部品１５０の第６の制御部材１５３に相互作用する第５の制御部材１５４を有する。  そして図７で特に明確になる様に、アームレスト２がもっと先の限界位置P3に設定された場合に回転部材１５０の固定化をもたらす。別の留め部材１６０は更に、摩擦部材１６６により回転軸２０を中心として回転するアームレスト２の動きに抵抗を与える。これは、例えば、起伏に富んだ地形で上下動によって起こされるアームレストの意図しない調節に限っては有利なことである。
摩擦部材１６６の代案として、スプリング手段（図示しない）により限界位置P0方向にアームレスト２をあらかじめ圧力をかけておく方法もある。
【００２０】
簡潔にする為、図２〜７では収納部材１７１、１７０、１７２は図示されない。
【００２１】
本発明による装置、すなわち本発明によるアームレスト２の動作の順序と機能は図２〜７を参照しより詳しく説明される。
【００２２】
図２においてアームレスト２は基本的に図１で表示されている限界の角度位置P0に在ると想定されている。前記限界位置P0にて、ロッキングレバー１４０は固定位置に設定されている。この結果（支持部材１３０の）第１の固定歯１３１とロッキングレバー１４０の第２の固定歯１４１は噛み合うことに成る。この位置で、アームレスト２は一方向には動けるように固定される。すなわち、アームレスト２は上方、つまり第２の回転方向S2(ある動きの結果とは逆方向に)には動かせるがアームレスト２は第１の回転方向S1には動きは完全に固定される。
もしアームレスト２が第２の回転方向S2、つまり上向きに、動かされると、固定歯１３１と１４１の噛み合いは初めに解除される。しかし、ロッキングレバー１４０を、固定位置方向にあらかじめ圧力をかけてあるスプリング１４５の動作によって、後者は再び元にパチンと戻る、その結果固定歯１３１と１４１は―少なくとも１つの歯分だけ動いて―再び噛み合い状態になる。この様にして、アームレスト２が固定歯１３１と１４１によって、快適領域であらかじめ決められた不連続なラッチ位置で固定されることが可能である。つまり限界の角度位置P0とそこから約４０度上方に設定されたアームレスト２の位置の間の快適領域で、つまり第２の回転方向S2の一方向には動ける状態の形で、つまりアームレスト２は上方に動かせるが下方には動かすことが出来ない形で固定される。
【００２３】
図４において、アームレスト２は、第２の角度位置に設定される。この位置では両面レバーとして設計されたロッキングレバー１４０の第２の固定歯の反対側の面１４３の一領域１４２が、制御装置１２０の第１の制御部材１２１により、ロッキングレバー１４０が固定位置から、図５で図示される解除位置に旋回するように動く。
【００２４】
図５ではアームレスト２は第２の回転方向S2に、限界角度位置P0から約５０．５度上方に動く。アームレスト２のこの位置で、ロッキングレバー１４０は解除位置に確実に設定される、即ち制御装置１２０の第１の制御部材１２１がロッキングレバー１４０の第２の固定歯１４１の反対側にある面１４３を外側に、つまり回転軸２０から離れるように押す。その結果第２の固定歯１４１が配置されているロッキングレバー１４０の反対側は内側に押される。つまり、回転軸２０にむかって押し、そしてスプリング１４５はロッキングレバー１４０の解除位置に相当する第２のパチンとはまる位置に移動する。
【００２５】
アームレスト２が図６に示される様に更に回転すると、例えば限界角度位置P0から１２４度回転して、限界角度位置P3である最終点に至る。この場合、ロッキングレバー１４０の第２の固定歯１４１の反対側になる先端部１４３は制御装置１２０の第２の制御部材１２２に突き当たる。第２の制御部材１２２はロッキングレバー１４０の先端部１４３にとって、特に直線的な止め具として設計されている。アームレスト２は基本的に第２の角度位置P2ともっと先の限界角度位置P3の間で自由に回転可能である、この自由回転は図８と図７に表されている制動部材１６６と、アームレスト２の限界角度位置P０方向のスプリングのあらかじめの圧力（図示しない）、又はどちらか一方により、適正に制限される。図７は又第５の制御部材１５４と共に保持クリップ１５５を表示する。
【００２６】
アームレスト２が限界角度位置P0方向に再び戻るように回転すると、解除位置に設定されたロッキングレバー１４０は（限界角度位置P0から上方に）約１２度の回転である点である位置に到達する。そこで制御装置１２０の第３の制御部材１２３（図３に表示）がスプリング１４５に作用し、制御装置がロッキングレバー１４０を解除位置から固定位置への設定にする。制御装置１２０の第４の制御部材１２４は図２に表示される。その効果は、限界角度位置P0において回転部品１５０を停止させ、又は回転部品１５０に固定された停止部材１５２を停止させることである。
第１の固定歯１３１と第２の固定歯１４１の噛み合わせが、限界角度位置P0で第３の制御部材１２３の効果によって、成された後に、アームレスト２は回転の方向に依存する様に再び固定され、限界角度位置P0と第２の角度位置P2の間の快適領域に設定される。それ故に、本発明によるとアームレスト２は追加の押しボタン無しに、一方向には動ける形で、第１の角領域A1に相当する快適領域内で結果的には自動的に、固定が可能である、そして同様にアームレスト２がこの快適領域を超えて第２の角領域A2に入ると自動的に解除される。
本発明によると、ロッキングレバー１４０の固定解除又は解除位置の設定をする為に、アームレストを上方の停止地点、つまり限界角度位置P3、迄もっていく必要は全く無い。ロッキングレバー１４０が解除位置から固定位置に移動する間、制御輪郭部はロッキングレバー１４０や他の作動部材に”激しく“当たらず、故に特に力学的な現象として、破損や材料磨耗の可能性は概ね避けられるので、大変有利である。
しかし、本発明によると、ロッキングレバー１４０の解除位置から固定位置への設定は第３の制御部材１２３のスプリング１４５との相互作用だけでなく、ロッキングレバー１４０への直接相互作用でも可能である。
【産業上の利用可能性】
【００２７】
本発明により、スプリング１４５が、第１にロッキングレバー１４０の形状に連携してロッキングレバー１４０が２つの安定位置にもたらされ、そして第２に、快適領域A1でラチェット機能が効いている時さえも十分大きな押し付ける力が第１と第２の固定歯の歯に対し確保される様に、ロッキングレバーに十分大きな力を及ぼすことが可能であることは明らかである。
【図面の簡単な説明】
【００２８】
【図１】図１はアームレストの設定に関係する種々の角度位置領域又は角領域を説明する図である。
【図２】図２は本発明によるアームレストの異なった設定、つまり角度位置、での前記装置である。
【図３】図３は本発明による  アームレストの異なった設定、つまり角度位置、での前記装置である。
【図４】図４は本発明によるアームレストの異なった設定、つまり角度位置、での前記装置である。
【図５】図５は本発明によるアームレストの異なった設定、つまり角度位置、での前記装置である。
【図６】図６は本発明によるアームレストの異なった設定、つまり角度位置、での前記装置である。
【図７】図７は本発明によるアームレストの異なった設定、つまり角度位置、での前記装置である。
【図８】図８は本発明による前記装置の分解組み立て図である。
【符号の説明】
【００２９】
２ アームレスト
４ 座席/背もたれ
１０      装置
２０      回転軸
２２      回転輪郭部
１２０    制御装置
１２１    第１の制御部材
１２２    第２の制御部材
１２３    第３の制御部材
１２４    第４の制御部材
１２５    歯
１２６    クリップ式係止部材
１３０    支持部材
１３１    第１の固定歯
１４０    ロッキングレバー
１４１    第２の固定歯
１４３    ロッキングレバーの面/末端
１４５    スプリング
１５０    回転部品/回転部材
１５１    ピン
１５２    停止部材
１５３    第６の制御部材
１５４    第５の制御部材
１５５    保持クリップ
１６０    別の留め部品
１６５    窪み
１６６    摩擦部材/制動部材
１７０    第１の収容容器部
１７１    第２の収容容器部
１７２    組み付け手段
A  旋回領域
A1 第１の角領域
A2 第２の角領域
P0 限界の角度位置
P1 第１の角度位置
P2 第２の各位置
P3 もっと先の限界角度位置
S1 第１の回転方向
S2 第２の回転方向
【図１】
2007526054.tif 000003
【図２】
2007526054.tif 000004
【図３】
2007526054.tif 000005
【図４】
2007526054.tif 000006
【図５】
2007526054.tif 000007
【図６】
2007526054.tif 000008
【図７】
2007526054.tif 000009
【図８】
2007526054.tif 000010
【国際調査報告】
2007526054.tif 000011
2007526054.tif 000012
2007526054.tif 000013
2007526054.tif 000014